(57)【要約】【課題】  尿検査の際、紙カップを直に持って尿を採取するので手等を汚しやすく、特に女の人はカップとの距離感をはかりづらく難しい。  本発明はカップによる採尿をしやすくさせる為の検尿カップ保持具を提供する。【解決手段】  短手幅数センチ・長手幅約３７センチのシートを半分に折り畳んだ折り目を先折り目部と成し、手元側へ順次中折り目部・元折り目部・綴じ目部と続けて設け、カップ保持部の形設を成し、綴じ目部より手元端までを接着して取手部の形設を成し、検尿カップを外側から保持することを特徴とする検尿カップ保持具。【選択図】図２
2017096902.tif 000002
【特許請求の範囲】
【請求項１】
一般的に使用する容量２０５ｃｃの検尿カップは、飲み口縁部の直径が約７．２センチ・円周約２２．６センチであり、底部の直径は約５．２センチ・円周約１６．３センチで、飲み口縁部から底部までの高さは８センチで、飲み口縁部の厚みが約０．３センチの形体を成し、このカップを止め保持する保持位置を飲み口縁部の下１センチと予定すると、保持位置の直径は約６．５センチ・円周約２０．４センチとなり、この保持位置の円周上で六つの接点においてカップを保持支えるために、短手幅数センチ・長手幅約３７センチの厚紙等の板状シートを、長手方向で半分にした位置で二つ折にして先折り目部とし、先折り目部から手元側へ約２．６センチの位置で重なる各々のシートを外側へ出っ張る折り目を設けて中折り目部とし、中折り目部から手元側へ約２．６センチの位置で同様に各々のシートを外側へ出っ張る折り目を設けて元折り目部と成すが、折り目部のすべてが両角を隅切りして隅切り部を形設し、元折り目部から手元側へ約５．２センチの位置で綴じて綴じ目部を設け、以上の先折り目部から綴じ目部までを総括してカップ保持部と成し、残りの綴じ目部から手元端までの重なり合ったシートを接着して取手部と成すのだが、取手部は長手縁両側に浅い凹みを設けてフィット部と成し、フィット部に連続する短手縁、即ち、手元側端はカーブした弧を描く様に形設され、このように形成された二枚重ね合わせのシート体において、先折り目部を取手部方向に押すと、各折り目部が外側に開いてカップ保持部が拡がり、先折り目部と取手部を引き離すように引けば、カップ保持部はすぼまり、元のように一枚板の形体に戻ることを特徴とする検尿カップ保持具。
【請求項２】
綴じ目部から手元側へ約１ｃｍの位置から先方（先折り目部方向）へ約３，６センチ伸びてカップ保持部に接触して形設を成す補強シートを設けたことを特徴とする請求項１における検尿カップ保持具。
【発明の詳細な説明】
【技術分野】
【０００１】  本発明は病院等での尿検査をする際に使用する、検尿カップに取り付ける保持具に関するものである。
【背景技術】
【０００２】  従来、カップに尿を採取する際、カップを直に持って尿を入れていた。
【発明の概要】
【発明が解決しようとする課題】
【０００３】  特に女の人はカップに尿を取ることが難しく、其のため手やカップを汚してしまうことがある。
本発明は、以上の問題点を解決するためになされたものである。
【課題を解決するための手段】
【０００４】  一般的に使用する容量２０５ｃｃの検尿カップは、飲み口縁部の直径が約７．２センチ・円周約２２．６センチであり、底部の直径は約５．２センチ・円周約１６．３センチで飲み口縁部から底部までの高さは８センチで、飲み口縁部の厚みが約０．３センチの形体を成し、このカップを止め保持する保持位置を飲み口縁部の下１センチと予定すると、保持位置の直径は約６．５センチ・円周は約２０．４センチとなる。
この保持位置の円周上で六つの接点においてカップを保持支えるために、以下のような保持具を形成する。
短手幅数センチで長手幅約３７センチの厚紙等の板状シートを長手方向で半分にした位置で二つ折りにして先折り目部とし、先折り目部から手元側へ約２．６センチの位置で、重なる各々のシートを外側へ出っ張る折り目を設けて中折り目部とし、中折り目部から手元側へ約２．６センチの位置で同様に外側へ出っ張る折り目を設けて元折り目部と成すが、折り目部のすべてが両角を隅切りして隅切り部を形設し、元折り目部から手元側へ約５．２センチの位置で綴じて綴じ目部を設け、以上の先折り目部から綴じ目部までを総括してカップ保持部を成し、残りの綴じ目部から手元端までの重なり合ったシートを接着して取手部と成すのだが、取手部は長手縁両側に浅い凹みを設けてフィット部と成し、フィット部に連続する短手縁、即ち、手元側端はカーブした弧を描くように形設される。この様に形成された二枚重ね合わせのシート体において、先折り目部を取手部方向に押すと、各折り目部が外側に開いてカップ保持部が拡がり、先折り目部と取手部を引き離すように引けば、カップ保持部はすぼまり、元のように一枚板の形体に戻る。
尚、検尿カップに若干の大小があったとしても、保持部の上縁がカップの開口縁のどの地点で止め保持するかは、僅かな位置変動があったとしても、実際の使用に際しては全く影響がない。
以上の構成よりなる検尿カップ保持具
【発明の効果】
【０００５】  採尿の際、適当な長さの取手部が身体とカップのほどよい間隔を作り、上から良く見え、身体とカップの位置関係が認識でき、的を外して手を汚したりする事がない。
【図面の簡単な説明】
【０００６】
【図１】  本発明の使用前の状態を示す正面図
【図２】  本発明の斜視図
【図３】  本発明の使用状態を示す斜視図
【図４】  本発明における補強シートを設けた実施例を示す正面図
【図５】  本発明において補強シートを設けた実施例を示す斜視図
【発明を実施するための形態】
【０００７】    以下、本発明の実施の形態を説明する。
一般的に使用する容量２０５ｃｃの検尿カップは、飲み口縁部の直径が約７．２センチ・円周は約２２．６センチで、底部の直径は約５．２センチ・円周約１６．３センチ、飲み口縁部から底部までの高さは８センチで、飲み口縁部の厚みが約０．３センチの形体を成し、このカップを止め保持する保持位置を飲み口縁部の下１センチと予定すると、保持位置の直径は約６．５センチで円周は約２０．４センチとなる。
この保持位置の円周上で六つの接点においてカップを保持支えるために、以下のような保持具を形成する。
短手幅数センチで長手幅約３７センチの厚紙等の板状シートを長手方向で半分にした位置で二つ折りにして、先折り目部（１）とし、先折り目部（１）から手元側へ約２．６センチの位置で、重なる各々のシートを外側へ出っ張る折り目を設けて中折り目部（２）とし、中折り目部（２）から手元側へ約２．６センチの位置で同様に外側へ出っ張る折り目を設けて元折り目部（３）と成すが、折り目部のすべてが両角を隅切りして隅切り部（５）を形設し、元折り目部（３）から手元側へ約５．２センチの位置で綴じて綴じ目部（４）を設け、以上の先折り目部（１）から綴じ目部（４）までを総括してカップ保持部（６）と成し、残りの綴じ目部（４）から手元端までの重なり合ったシートを接着して取手部（７）と成すのだが、取手部（７）は長手縁両側に浅い凹みを設けてフィット部（８）と成し、フィット部（８）に連続する短手縁、即ち、手元側端はカーブした弧を描くように形設される。この様に形成された二枚重ね合わせのシート体において、先折り目部（１）を取手部（７）方向に押すと、各折り目部が外側に開いてカップ保持部（６）が拡がり、先折り目部（１）と取手部（７）を引き離すように引けば、カップ保持部（６）はすぼまり、元のように一枚板の形体に戻る。
尚、検尿カップ（９）に若干の大小があったとしても、カップ保持部（６）の上縁が検尿カップ（９）の開口縁のどの地点で止め保持するかは、僅かな位置変動があったとしても、実際の使用に際しては全く影響がない。
本発明は以上のような構成である。
本発明を使用する時は、取手部（７）を持ち、先折り目部（１）を取手部（７）方向に押して、先折り目部（１）と中折り目部（２）と元折り目部（３）の各折り目部を開き、カップ保持部（６）を拡げたところへ検尿カップ（９）を底部から挿入して、カップ保持部（６）の上縁が検尿カップ（９）の飲み口部から１センチ程下の位置になるまで押し込み使用する。
【符号の説明】
【０００８】１  先折り目部、  ２  中折り目部、  ３  元折り目部、４  綴じ目部、
５  隅切り部、  ６  カップ保持部、  ７  取手部、８  フィット部、
９  検尿カップ、  １０  補強シート取手部、  １１  補強シート綴じ目部、
１２  カップ保持補強部、
【図１】
2017096902.tif 000003
【図２】
2017096902.tif 000004
【図３】
2017096902.tif 000005
【図４】
2017096902.tif 000006
【図５】
2017096902.tif 000007